(57)【特許請求の範囲】
【請求項１】
写真フイルムの前面側に配置された露光開口の近傍に一端が軸着され他端が露光開口を開閉するように揺動自在にされた板状のシャッタ羽根と、このシャッタ羽根を露光開口を閉じる方向に付勢するバネと、このバネよって付勢されたシャッタ羽根を受け止めて露光開口を閉じた状態で保持する押さえ壁とを備え、レリーズ操作によりシャッタ羽根をバネの付勢に抗して露光開口を開放する方向に揺動させた後、前記バネの付勢によりシャッタ羽根を露光開口を閉じる位置に戻すようにしたシャッタ装置において、
前記押さえ壁に、シャッタ羽根の前面側あるいは背面側の縁部が当接される斜面と、この斜面に連なる平面部とを設け、前記シャッタ羽根には、縁部が斜面によって受け止められてから該平面部に当接する突起を設け、露光開口の開放後にバネの付勢によって揺動されるシャッタ羽根を受け止める際の反撥力を斜面に沿って逃がし、かつ平面部に突起を当接させてシャッタ羽根の斜面に沿った移動を停止させることを特徴とする請求項１記載のシャッタ装置。
【発明の詳細な説明】
【０００１】
【発明の属する技術分野】
本発明は、シャッタ装置の改良に関するものである。
【０００２】
【従来の技術】
予め未露光の写真フイルムとパトローネとが装填されたレンズ付きフィルムユニット、例えば「写ルンですSuper800（商品名）」等が各種販売されており、このレンズ付きフイルムユニットには、内部に簡単な撮影機構が各種組み込まれている。この撮影機構の中には、シャッタボタンの押圧によってシャッタレリーズを行うシャッタ装置が含まれている。
【０００３】
レンズ付きフイルムユニットに用いられているシャッタ装置は、コストダウンのために簡素化されたものとなっており、写真フイルムの前面側に配置された露光開口の近傍に一端が軸着され、他端が露光開口を開閉するように揺動自在とされた板状のシャッタ羽根と、このシャッタ羽根を露光開口を塞ぐ方向に向けて付勢するバネとを有し、レリーズ操作によりシャッタ羽根をバネの付勢に抗して露光開口を開放する方向に揺動させるようになっている。
【０００４】
【発明が解決しようとする課題】
上記シャッタ羽根を露光開口を塞ぐ位置で停止させるために、露光開口の近傍にはシャッタ羽根の端面を受け止める押さえ壁が設けられている。しかしながら、シャッタ羽根がバネの付勢によって押さえ壁に当接した際に、衝撃による反撥によってシャッタ羽根が露光開口を開く方向に再び揺動してしまい、露光開口が僅かに開放されて写真フイルムに二重露光がなされてしまうことがあった。
【０００５】
本発明は、上記問題点を解決するためのもので、押さえ壁に当接した際のシャッタ羽根の反撥を抑えて、露光開口を塞ぐ位置で確実にシャッタ羽根を停止させるシャッタ装置を提供することを目的とする。
【０００６】
【課題を解決するための手段】
上記問題点を解決するために、請求項１記載のシャッタ装置は、押さえ壁にシャッタ羽根の前面側あるいは背面側の縁部を受け止める斜面を設け、露光開口の開放後に当接されるシャッタ羽根の反撥力を斜面に沿って逃がすようにしたものである。これによれば、板状のシャッタ羽根が僅かに撓んで縁部が斜面上を滑るため、反撥力が斜面に沿って逃げるようになる。
【０００７】
また、請求項１記載のシャッタ装置は、押さえ壁に斜面に連なる平面部を設け、縁部が斜面に受け止められてから該平面部に当接する突起をシャッタ羽根に設けたものである。これによれば、シャッタ羽根の撓みによって縁部が斜面上を滑り過ぎるのを防止することができる。
【０００８】
【発明の実施の形態】
図２は、本発明のシャッタ装置を用いたレンズ付きフイルムユニットの外観を示すものである。レンズ付きフイルムユニット２は、予めフイルムカートリッジが装填され各種撮影機構が組み込まれたユニット本体３と、このユニット本体３を部分的に覆う外装紙４とから構成されている。
【０００９】
ユニット本体３の上面にはシャッタボタン６，カウンタ窓７が、前面にはストロボ発光部５，ファインダ８，撮影レンズ９，ストロボ充電スイッチ１０等が設けられている。また、背面側からは１コマの撮影毎に回動操作される巻上げノブ１１が露呈されている。外装紙４は、裏面に接着剤が塗布されてユニット本体３の中央部分に巻かれるように貼付され、撮影レンズ９やファインダ８，カウンタ窓７等を外部に露呈させる開口が形成されている。
【００１０】
図３に示すように、ユニット本体３は、本体基部１３，露光ユニット１４，ストロボユニット１５，後カバー１６，前カバー１７とから構成されている。本体基部１３は、カートリッジ本体７０を収納するカートリッジ室１９と、カートリッジ本体７０から引き出された写真フイルム７１をロール状に巻いた状態で収納するフイルムロール室２０と、撮影レンズ９から写真フイルム７１までの間の撮影光路を遮光する遮光筒２１とが一体に形成されている。カートリッジ室１９の上部には巻上げノブ１１が回動自在に組み付けられており、この巻上げノブ１１の下面には、カートリッジ本体７０のスプール７２に係合される係合軸が形成されている。
【００１１】
カートリッジ本体７０内には、写真フイルム７１の一端が係止されるスプール７２が回転自在に組み込まれており、更に特開平６−２６６０５３号公報で知られるようなフイルム送出し機構が内蔵されている。また、写真フイルム７１がカートリッジ本体７０内に出入りするフイルム出入り口（図示せず）には、外部から回動されることによりフイルム出入り口を開閉する棒状の遮光蓋７４が組み込まれている。また、カートリッジ室１９からフイルムカートリッジ７５を取り出す際の操作に連動して遮光蓋７４を閉じる遮光蓋閉鎖機構がカートリッジ室１９の上面及び側面に組み込まれている。
【００１２】
露光ユニット１４は、撮影レンズ９や本発明のシャッタ装置が一体に組み込まれたもので、遮光筒２１の前面側に着脱自在に組み付けられる。ストロボユニット１５は、ストロボ回路が形成された回路基板２３，ストロボ発光部５，電源用の電池２４からなり、遮光筒２１とフイルムロール室２０との間に組み付けられる。前カバー１７は、本体基部１３の前面側に組み付けられて露光ユニット１４とストロボユニット１５とを覆う。前述のシャッタボタン６やストロボ充電スイッチ１０等は前カバー１７に一体に形成されている。後カバー１６は、本体基部１３の背面側に組み付けられて光密に覆う。また、後カバー１６にはカートリッジ室１９とフイルムロール室２０との底面を覆う底蓋２５，２６が一体に形成されており、この底蓋２５の開放に連動して前述の遮光蓋閉鎖機構が動作する。
【００１３】
図１は、撮影レンズ９を保持するレンズカバー２８を取り外した状態の露光ユニット１４を示すものである。露光ユニット１４は、プラスチックで一体に形成されたベース部２９に各部品が組み付けられてユニット化され、その機能としては、シャッタチャージ機構，シャッタレリーズ機構，カウンタ機構，フイルム巻止め機構等を有し、更に撮影レンズ９とともにファインダレンズ３０も組み込まれている。
【００１４】
ベース部２９には、上面に複数本の軸が一体に形成されており、これらの軸にはシャッタ駆動レバー３２，カウンタ板３３，係止レバー３５，カム部材３６が回動自在に組み付けられている。カム部材３６の下端部には、ベース部２９内において従動スプロケット３４が係合されている。従動スプロケット３４は、写真フイルム７１のパーフォレーションに噛合されており、写真フイルム７１の１コマ分がカートリッジ本体７０内に巻き上げられる際に従動回転する。また、カム部材３６も同様に図中反時計方向に半回転され、カウンタ板３３を時計方向に１目盛り分回動させる。
【００１５】
シャッタ駆動レバー３２と係止レバー３５とは、それぞれ別々のバネによって図中反時計方向と時計方向とに付勢されている。シャッタ駆動レバー３２はカム部材３６の回転によってバネの付勢に抗してチャージ位置側である図中時計方向に回動される。係止レバー３５は、カム部材３６が回転すると僅かに時計方向に回動し、シャッタ駆動レバー３２をチャージ位置で係止して保持する。また、この際の係止レバー３５は、カム部材３６と巻上げノブ１１とに係合して回転を阻止し、フイルム巻止めを行う。
【００１６】
シャッタボタン６が押圧されると、シャッタボタン６と一体に形成されたレバーが係止レバー３５をバネ３４の付勢に抗して図中反時計方向に回動させる。これにより、シャッタ駆動レバー３２はチャージ位置での保持が解除され、バネの付勢によって反時計方向に回動する。
【００１７】
ベース部２９の前面側には露光開口３８が形成されている。この露光開口３８の斜め上方には撮影光軸に沿ってピン３９が突設されており、このピン３９にはシャッタ羽根４０が揺動自在に軸着される。シャッタ羽根４０は、ピン３９に軸着される軸着部４１と、露光開口３８の前面に配置されて揺動する開閉部４２とが形成されている。
【００１８】
また、シャッタ羽根４０の軸着部４１にも撮影光軸に沿ってピン４４が突設されており、このピン４４には金属製のコイルバネ４５の一端が掛けられる。なお、コイルバネ４５の他端はベース部２９の前面に突設されたピン４６に掛けられており、シャッタ羽根４０を露光開口３８を閉じる方向である図中反時計方向に付勢している。
【００１９】
シャッタ羽根４０の軸着部４１には上方に向かって突起４８が設けられている。この突起４８は、シャッタ駆動レバー３２が係止レバー３５による保持が解除されて図中反時計方向に回動する際に、シャッタ駆動レバー３２に一体に形成された蹴飛ばしレバー４９によって蹴飛ばされるものである。これにより、シャッタ羽根４０はコイルバネ４５の付勢に抗して時計方向に揺動され、露光開口３８を開放する。シャッタ駆動レバー３２に蹴飛ばされて時計方向に揺動したシャッタ羽根４０は、コイルバネ４５の付勢によって再び反時計方向に回動されて露光開口３８を閉じる。また、開閉部４２には、特開平５−３２３４１５号公報に記載されているように、１枚のシャッタ羽根４０による写真フイルム７１への露光ムラを防止する庇状の突出部５０が形成されている。
【００２０】
露光開口３８の周囲には、露光開口３８を開放した後のシャッタ羽根４０をコイルバネ４５の付勢に抗して受け止めて露光開口３８の前面に停止させる突条状の押さえ壁５２が形成されている。この押さえ壁５２とシャッタ羽根４０との当接は、押さえ壁５２の端部に形成された受け部５３と、シャッタ羽根４０の開閉部４２に形成された当接部５４とで行われる。
【００２１】
押さえ壁５２の受け部５３には、シャッタ羽根４０の端面に対面して斜面５６が形成されており、図４に示すように、この斜面５６にコイルバネ４５によって付勢されたシャッタ羽根４０の当接部５４の背面側の縁部５７が当接される。これにより、シャッタ羽根４０の軸着部４１と開閉部４２とを連結する部分が僅かに撓み、縁部５７が斜面５６上で滑って当接時の衝撃が斜面５６に沿って逃げてしまう。そのため、シャッタ羽根４０が反撥力によって再び露光開口３８の開放方向に揺動されることはなく確実に受け止められ、写真フイルム７１への二重露光を防止することができる。なお縁部５７は、斜面５６に合わせて平面にされているので、縁部５７と斜面５６との磨滅を防止して回収後の再使用率を向上させることができる。
【００２２】
また、シャッタ羽根４０の縁部５７が斜面５６上で滑りすぎると、開閉部４２が露光開口３８を閉じる位置よりも更に揺動することがある。そして、開閉部４２に形成された突出部５０が押さえ壁５２とレンズカバー２８との間に挟み込まれてしまい、次回のシャッタレリーズ時にシャッタ羽根４０が動かなくなったり、露光開口３８の開放が完全に行われなくなってしまうことがある。
【００２３】
このような不具合を防止するために、押さえ壁５２の受け部５３には斜面５６に連なって平面５９が形成されており、シャッタ羽根４０の裏面には平面５９に当接する突起６０が形成されている。この平面５９と突起６０とは、シャッタ羽根４０の縁部５７が斜面５６に当接した後に当接されるように突起６０の位置が調節されており、縁部５７が斜面５６上で僅かに滑って反撥力が逃がされた後に突起６０が平面５９に当接してシャッタ羽根４０の揺動を確実に停止させる。
【００２４】
次に、上記実施形態の作用について説明する。図２に示すレンズ付きフイルムユニット２を購入したユーザーは、最初に巻上げノブ１１を図中反時計方向に回転操作して１コマ目のシャッタチャージを行う。巻上げノブ１１が回転されると、図３に示すように、写真フイルム７１がフイルムロール室２０からカートリッジ室１９に向けて移送される。この際に、露光ユニット１４内に組み込まれた従動スプロケット３４が従動回転し、図１に示すように、同軸に係合されたカム部材３６も同様に回転される。
【００２５】
カム部材３６が図中反時計方向に回転されると、シャッタ駆動レバー３２がバネ３４の付勢に抗して時計方向のチャージ位置に向けて回動され、係止レバー３５がシャッタ駆動レバー３２をチャージ位置で保持する。その後、ファインダ８で被写体を確認してシャッタボタン６を押圧すると、係止レバー３５が反時計方向に回動される。これにより、シャッタ駆動レバー３２はバネ３４の付勢によって図中反時計方向に回動され、その際に蹴飛ばしレバー４９でシャッタ羽根４０の突起４８を蹴飛ばす。
【００２６】
突起４８を蹴飛ばされたシャッタ羽根４０は、コイルバネ４５の付勢に抗して図中時計方向に揺動される。その際に、開閉部４２とこの開閉部４２に形成された突出部５０とが露光開口３８を開放して写真フイルム７１への露光を行う。露光開口３８を開放したシャッタ羽根４０は、コイルバネ４５の付勢によって露光開口３８を閉じる反時計方向に揺動される。揺動されたシャッタ羽根４０は、図４に示すように、当接部５４の縁部５７が受け部５３の斜面５６に当接する。これにより、シャッタ羽根４０が僅かに撓んで縁部５７が斜面５６上で僅かに滑り、当接時の衝撃による反撥力は斜面５６に沿って逃がされてしまうので、シャッタ羽根４０は確実に受け止められ写真フイルム７１への二重露光等は発生しない。
【００２７】
また、縁部５７が斜面５６上で僅かに滑った後には、シャッタ羽根４０の裏面に形成された突起６０が受け部５３の平面５９に当接する。これにより、シャッタ羽根４０がコイルバネ４５の付勢によって必要以上に揺動することはない。
【００２８】
なお、上記実施形態では、受け部の斜面に当接されるシャッタ羽根の角部を背面側の角部としたが、図５に示すように、押さえ壁６２の突出量を大きくして斜面６３の向きを逆にし、シャッタ羽根６４の前面側の縁部６５と当接させるようにしてもよい。また、この際にも斜面６３に連なる平面部６６を設け、この平面部６６に当接する突起６７をシャッタ羽根６４の前面側に設ける。
【００２９】
また、フイルムカートリッジが装填されるレンズ付きフイルムユニットのシャッタ装置について説明したが、従来の１３５サイズのフイルムパトローネを装填するレンズ付きフイルムユニットのシャッタ装置にも当然用いることができる。更に、本発明のシャッタ装置は、レンズ付きフイルムユニット以外に、安価なカメラのシャッタ装置にも利用することができる。また、板状のシャッタ羽根を用いるシャッタ装置ならば、シャッタ羽根が１枚に限定されるものではない。
【００３０】
【発明の効果】
以上説明したように本発明のシャッタ装置は、バネの付勢によって露光開口を閉じる方向に揺動されるシャッタ羽根の前面側あるいは背面側の縁部を押さえ壁の斜面で受けるようにしたので、板状のシャッタ羽根が僅かに撓んで縁部が斜面上を滑り、反撥力が斜面に沿って逃げるようになるので、シャッタ羽根が露光開口を開放する方向に揺動して写真フイルムが二重露光するような不具合は発生しない。
【００３１】
また、押さえ壁に斜面に連なる平面部を設け、シャッタ羽根には縁部が斜面に当接してから該平面部に当接する突起を設けたので、シャッタ羽根の撓みによって縁部が斜面上を滑り過ぎるのを防止することができる。また、部品点数の増加等なく、僅かな変更で済むので安価に採用することができる。
【図面の簡単な説明】
【図１】露光ユニットの構成を示す分解斜視図である。
【図２】本発明のシャッタ装置を用いたレンズ付きフイルムユニットの外観斜視図である。
【図３】ユニット本体の構成を示す分解斜視図である。
【図４】押さえ壁によるシャッタ羽根受け止め時の状態を示す要部断面図である。
【図５】別の実施形態の押さえ壁によるシャッタ羽根受け止め時の状態を示す要部断面図である。
【符号の説明】
２  レンズ付きフイルムユニット
３  ユニット本体
１４  露光ユニット
３８  露光開口
４０  シャッタ羽根
４５  コイルバネ
５２  押さえ壁
５３  受け部
５４  当接部
５６，６３  斜面
５７，６５  縁部
５９，６６  平面
６０，６７  突起
【図１】
0003650666.tif 000002
【図２】
0003650666.tif 000003
【図３】
0003650666.tif 000004
【図４】
0003650666.tif 000005
【図５】
0003650666.tif 000006